(57)【要約】    【課題】  ＩＣカードリーダでの決済が可能である自動販売機に対して、出荷時に、取り付け対象の自動販売機の識別ＩＤの設定されたＩＣカードリーダを搭載することを不要にする。    【解決手段】  （１）クライアントマシン５０からキャッシュレスサーバ６０に対して、自動販売機の設置場所情報、自動販売機のＩＤをキャッシュレスサーバ６０へ送信する。（２）作業者が、携帯電話７０に対して登録アプリケーションを介して自動販売機の設置場所情報を入力し、（３）自動販売機へ転送する（４）自動販売機１０は、キャッシュレスサーバ６０へ設置場所情報及び通信端末のＩＰアドレスを送信する。（５）キャッシュレスサーバ６０では、設置場所情報から自動販売機に付与すべき自動販売機のＩＤを特定し、該自動販売機のＩＤ、ネガティブデータ等を自動販売機１０側へ送信する。（６）自動販売機１０では、キャッシュレスサーバ６０から配信された情報を取り込み、販売可能な状態にする。【選択図】  図１
2010009565.tif 000002
【特許請求の範囲】
【請求項１】
ＩＣカードリーダと通信端末と記憶手段を備え、設置場所に基づく識別情報にて識別されることで管理される自動販売機と、
データベースを備え、前記自動販売機の前記通信端末を介して送られる販売情報により該自動販売機を管理するサーバと、
該サーバへ自動販売機の管理情報を送るホストコンピュータと、
該自動販売機の設置場所を設置予定場所の中から特定して設定するための設定プログラムが入力可能であり、入力された該設定プログラムにより設定された設置場所情報をＩＣカードに記憶し、自動販売機のＩＣカードリーダへ送信可能な携帯端末と、を備え、
自動販売機の設置場所をサーバ側に登録すると共に該自動販売機を稼働可能にする自動販売機設定システムであって、
前記ホストコンピュータから前記サーバへ、自動販売機の設置予定場所を設定する設置予定場所設定手段と、
前記携帯端末から前記自動販売機へ、該携帯端末の設定プログラムによりＩＣカードに記憶された設置場所の情報を、自動販売機のＩＣカードリーダへ送る設置場所第１送信手段と、
前記自動販売機から前記サーバへ、ＩＣカードリーダを介して得た自動販売機側へ送られた設置場所の情報と、通信端末の特定情報とを、通信端末を介して前記サーバへ送る設置場所第２送信手段と、
前記サーバにおいて、送られた自動販売機の設置場所に基づき、当該設置場所と前記通信端末の特定情報とから当該自動販売機を特定する前記識別情報を作成する識別情報作成手段と、
前記サーバから自動販売機へ、自動販売機を稼働させるための制御情報を送信する制御情報送信手段と、
制御情報送信手段から受け取った制御情報を自動販売機の前記記憶手段に設定することで該自動販売機を稼動可能にする稼動情報設定手段と、を備えることを特徴とする自動販売機設定システム。
【請求項２】
前記制御情報送信手段により自動販売機を稼働させるための制御情報が送信された場合に、前記サーバのデータベースに前記識別情報を登録する登録手段を備えることを特徴とする請求項１の自動販売機設定システム。
【請求項３】
前記識別情報作成手段が、同一場所に複数の自動販売機が設置される場合に、識別情報と共に、連続番号を作成することを特徴とする請求項１の自動販売機設定システム。
【請求項４】
前記サーバから自動販売機に対して送られる自動販売機を稼働させるための制御情報として、自動販売機の識別情報が含まれることを特徴とする請求項１の自動販売機設定システム。
【請求項５】
ＩＣカードリーダと通信端末と記憶手段を備え、自動販売機毎に設定された識別情報にて識別されることで管理される自動販売機と、
データベースを備え、前記自動販売機の前記通信端末を介して送られる販売情報により該自動販売機を管理するサーバと、
該自動販売機の設置場所を含む自動販売機の固有情報を記憶するＩＣカードと、
前記ＩＣカードに、自動販売機毎の固有情報を書込可能なＩＣカード書込装置と、を備え、
自動販売機の前記識別情報をサーバ側に登録すると共に該自動販売機を稼働可能にする自動販売機設定システムであって、
前記ＩＣカードから前記自動販売機へ、該ＩＣカードに記憶された自動販売機の固有情報を、自動販売機のＩＣカードリーダへ送る固有情報第１送信手段と、
前記自動販売機から前記サーバへ、ＩＣカードリーダを介して得た自動販売機側へ送られた前記固有情報と、通信端末の特定情報とを、前記通信端末を介して前記サーバへ送る固有情報第２送信手段と、
前記サーバにおいて、送られた自動販売機の固有情報に基づき、当該固有情報と前記通信端末の特定情報とから当該自動販売機を識別する前記識別情報を形成する識別情報作成手段と、
前記サーバから自動販売機へ、前記識別情報に基づいて自動販売機を稼働させるための制御情報を送信する制御情報送信手段と、
制御情報送信手段から受け取った制御情報を自動販売機の前記記憶手段に設定することで該自動販売機を稼動可能にする稼動情報設定手段と、を備えることを特徴とする自動販売機設定システム。
【請求項６】
既に稼動している自動販売機の設置場所が移動された際に、
前記ＩＣカード書込装置が、新たな設置場所を含む自動販売機の固有情報の一部を前記ＩＣカードに書き込み、
前記固有情報第１送信手段が、前記ＩＣカードから前記自動販売機へ、該ＩＣカードに記憶された自動販売機の固有情報の一部を、自動販売機のＩＣカードリーダへ送り、
前記固有情報第２送信手段が、前記自動販売機から前記サーバへ、ＩＣカードリーダを介して得た自動販売機側へ送られた前記固有情報の一部を、通信端末を介して前記サーバへ送り、
前記サーバにおいて、送られた自動販売機の固有情報の一部に基づき、当該自動販売機を識別する前記識別情報中の設置場所を新たな設置場所に修正することを特徴とする請求項５の自動販売機設定システム。
【請求項７】
前記サーバにおいて、当該自動販売機の設置場所を新たな設置場所に修正した後、制御情報を自動販売機側へ送信することを特徴とする請求項６の自動販売機設定システム。
【請求項８】
前記ＩＣカード書込装置を、自動販売機の管理者毎に有し得ることを特徴とする請求項５の自動販売機設定システム。
【請求項９】
前記ＩＣカードの記憶される情報は暗号化されていることを特徴とする請求項５の自動販売機設定システム。
【発明の詳細な説明】
【技術分野】
【０００１】
本発明は、ＩＣカード決済に対応可能であり、設置場所に基づく識別情報にて識別されることで管理される自動販売機を稼動可能にするための設定システムに関するものである。
【背景技術】
【０００２】
従来より、ＩＣカード決済対応の自動販売機は、出荷時に、該自動販売機に対して、取り付け対象の自動販売機の識別ＩＤが設定されたＩＣカードリーダ及びモバイル端末を取り付けてから、予め予定された設置場所に設置する必要があった。
【０００３】
即ち、ＩＣカードでの決済を扱うサーバは、モバイル端末のＩＰアドレスで決済管理を行い、一方、残り商品の個数等の販売管理は、自動販売機の識別ＩＤに基づき行われている。一方で、自動販売機に商品の補充を行う作業員は、自動販売機の識別ＩＤでは無く、設置場所に基づいて管理しているため、例えば、サーバから作業員に必要補充個数を知らせる際には、自販機のモバイル端末を介して送られた販売情報に基づき、自動販売機の識別ＩＤから求めた設置場所を特定し、設置場所で特定した自動販売機毎の補充個数を知らせることになる。言い換えるなら、ＩＣカード決済対応の自動販売機を稼動させるためには、サーバ側で、自動販売機の識別ＩＤと、モバイル端末のＩＰアドレスと、設置場所との対応を把握する必要がある。このため、上述したように、取り付け対象の自動販売機の識別ＩＤが設定されたＩＣカードリーダ及びモバイル端末（通常は、モバイル端末とＩＣカードリーダとは一体化されている）を取り付けてから、該自動販売機を設置予定の場所に設置する必要があり、作業に手間が掛かると共に、柔軟性に欠き、同一の自販機でも予め定められた場所に設置予定の自動販売機をそれぞれ設置する必要があった。更に、複数台の同一自販機を異なる場所に設置する際に、自動販売機を入れ違って置いた場合には、サーバ側での管理情報が入れ違い、適切な管理が出来なくなる。ここで、特許文献１には、ＧＰＳを使い設置場所を検出する自動販売機の情報収集装置が開示されている。
【特許文献１】特開平１０−３３４３２２号公報
【発明の開示】
【発明が解決しようとする課題】
【０００４】
しかしながら、特許文献１で自動販売機の情報収集装置を用いても、サーバで取り付け対象の自動販売機の識別ＩＤと、ＩＣカードリーダ及びモバイル端末のＩＰアドレスとの関連を管理するためには、予めＩＣカードリーダ側に取り付け対象の自動販売機の識別ＩＤを設定し、設定したＩＣカードリーダを当該自動販売機に組み付ける必要があり、作業効率を改善することができなかった。
【０００５】
更に、一旦設置した自動販売機を移設した場合、設置場所等のＩＣカードリーダの固有情報を変更する必要がある。この変更は、専門の技術者が現地へ出向き、自動販売機からＩＣカードリーダを外し、記憶媒体の情報をコンピュータで読み込み、手動で変更する必要があった。従って、人の移動及び作業に時間が掛かると共に、作業ミスも懸念された。
【０００６】
本発明は、上述した課題を解決するためになされたものであり、その目的とするところは、ＩＣカードリーダでの決済が可能である自動販売機に対して、出荷時に、取り付け対象の自動販売機の識別ＩＤの設定されたＩＣカードリーダを搭載することを不要にする自動販売機の設定システムを提供することにある。
【課題を解決するための手段】
【０００７】
上記目的を達成するため、請求項１の発明は、ＩＣカードリーダ４２と通信端末３０と記憶手段２６を備え、設置場所に基づく識別情報にて識別されることで管理される自動販売機１０と、
データベース６２を備え、前記自動販売機の前記通信端末３０を介して送られる販売情報により該自動販売機を管理するサーバ６０と、
該サーバ６０へ自動販売機の管理情報を送るホストコンピュータ５０と、
該自動販売機の設置場所を設置予定場所の中から特定して設定するための設定プログラムが入力可能であり、入力された該設定プログラムにより設定された設置場所情報をＩＣカードに記憶し（Ｓ１８）、自動販売機のＩＣカードリーダへ送信可能な携帯端末７０と、を備え、
自動販売機の設置場所をサーバ側に登録すると共に該自動販売機を稼働可能にする自動販売機設定システムであって、
前記ホストコンピュータ５０から前記サーバ６０へ、自動販売機の設置予定場所を設定する設置予定場所設定手段（Ｓ４４）と、
前記携帯端末７０から前記自動販売機１０へ、該携帯端末の設定プログラムによりＩＣカードに記憶された設置場所の情報を、自動販売機１０のＩＣカードリーダ４２へ送る設置場所第１送信手段（Ｓ２２）と、
前記自動販売機１０から前記サーバ６０へ、ＩＣカードリーダ４２を介して得た自動販売機側へ送られた設置場所の情報（ＩＤ）と、通信端末の特定情報（ＩＰアドレス）とを、通信端末３０を介して前記サーバ６０へ送る設置場所第２送信手段（Ｓ６８）と、
前記サーバ６０において、送られた自動販売機の設置場所に基づき、当該設置場所と前記通信端末の特定情報とから当該自動販売機を特定する前記識別情報を作成する識別情報作成手段（Ｓ４８）と、
前記サーバから自動販売機へ、自動販売機を稼働させるための制御情報を送信する制御情報送信手段（Ｓ４８）と、
制御情報送信手段から受け取った制御情報を自動販売機の前記記憶手段に設定することで該自動販売機を稼動可能にする稼動情報設定手段（Ｓ７０）と、を備えることを技術的特徴とする。
【０００８】
請求項５の発明は、ＩＣカードリーダ４２と通信端末３０と記憶手段２６を備え、自動販売機毎に設定された識別情報にて識別されることで管理される自動販売機１０と、
データベース６２を備え、前記自動販売機の前記通信端末３０を介して送られる販売情報により該自動販売機を管理するサーバ６０と、
該自動販売機の設置場所を含む自動販売機の固有情報を記憶するＩＣカード９０と、
前記ＩＣカード９０に、自動販売機毎の固有情報を書込可能なＩＣカード書込装置８０Ａと、を備え、
自動販売機の前記識別情報をサーバ側に登録すると共に該自動販売機を稼働可能にする自動販売機設定システムであって、
前記ＩＣカード９０から前記自動販売機１０へ、該ＩＣカード９０に記憶された自動販売機の固有情報を、自動販売機のＩＣカードリーダ４２へ送る固有情報第１送信手段（Ｓ１６６）と、
前記自動販売機１０から前記サーバ６０へ、ＩＣカードリーダ４２を介して得た自動販売機側へ送られた前記固有情報と、通信端末３０の特定情報とを、前記通信端末を介して前記サーバへ送る固有情報第２送信手段（Ｓ１６８）と、
前記サーバ６０において、送られた自動販売機の固有情報に基づき、当該固有情報と前記通信端末の特定情報とから当該自動販売機を識別する前記識別情報を形成する識別情報作成手段（Ｓ１４８）と、
前記サーバから自動販売機へ、前記識別情報に基づいて自動販売機を稼働させるための制御情報を送信する制御情報送信手段（Ｓ１４８）と、
制御情報送信手段から受け取った制御情報を自動販売機の前記記憶手段に設定することで該自動販売機を稼動可能にする稼動情報設定手段（Ｓ１７０）と、を備えることを技術的特徴とする。
【発明の効果】
【０００９】
請求項１の自動販売機設定システムでは、先ず、ホストコンピュータ５０からサーバ６０へ、自動販売機１０の設置予定場所を設定する。携帯端末７０が、自動販売機の設置場所を設置予定場所の中から特定して設定するための設定プログラムによって入力された自動販売機の設置場所情報をＩＣカードに記憶し、自動販売機１０のＩＣカードリーダ４２へ送信する。次に、自動販売機１０からサーバ６０へ、当該自動販売機の通信端末の固有情報（ＩＰアドレス）と、携帯端末から送られた自動販売機の設置場所の情報とを送る。サーバ６０において、送られた自動販売機の設置場所に基づき、当該設置場所と通信端末の特定情報とから当該自動販売機を特定する識別情報（識別ＩＤ）を形成する。即ち、出荷前に予め自動販売機に識別情報を付け、該識別情報の保持されたＩＣカードリーダを取り付けるのでは無く、設置後、設置場所に応じて自動販売機に対して識別情報（識別ＩＤ）を付与する。これにより、サーバ６０で、自動販売機の識別情報（識別ＩＤ）と、通信端末の特定情報（ＩＰアドレス）と、設置場所とを対応付けることが可能となるので、取り付け対象の自動販売機の識別ＩＤの設定されたＩＣカードリーダを自動販売機に搭載することが不要になり、ＩＣカードリーダの取り付けの作業性を改善することができる。更に、実際の設置場所に応じて自動販売機の識別情報（識別ＩＤ）が付与されるので、予定された設置場所と異なる場所に設置された自動販売機に対しても、サーバ側で管理情報が入れ違うことが無くなり、適切に管理することができる。
【００１０】
請求項２の自動販売機設定システムでは、自動販売機を稼働させるための制御情報が送信された場合に、サーバのデータベースに識別情報を登録する。このため、サーバで、識別情報に基づき自動販売機を識別し、適切に管理することができる。
【００１１】
請求項３の自動販売機設定システムでは、同一場所に複数の自動販売機が設置される場合に、識別情報と共に、連続番号を作成する。このため、同一場所に設置された複数の自動販売機を個々に特定することが容易になり、適切に管理することができる。
【００１２】
請求項４の自動販売機設定システムでは、サーバから自動販売機に対して送られる自動販売機を稼働させるための制御情報として、自動販売機の識別情報が含まれる。このため、自動販売機側で自己の識別情報を保持し、サーバへ識別情報と共に販売情報を送ることにより、サーバ側での自動販売機管理が容易になる。
【００１３】
請求項５の自動販売機設定システムでは、先ず、ＩＣカード書込装置で、ＩＣカードに自動販売機の設置場所を含む自動販売機の固有情報を記憶させる。そして、ＩＣカードから自動販売機へ、該ＩＣカードに記憶された自動販売機の固有情報を、ＩＣカードリーダを介して送る。次に、自動販売機からサーバへ、ＩＣカードリーダを介して自動販売機側へ送られた固有情報と、通信端末の特定情報とを、通信端末を介して送る。サーバにおいて、送られた自動販売機の固有情報に基づき、当該固有情報と通信端末の特定情報とから当該自動販売機を識別する識別情報を形成する。そして、サーバから自動販売機へ、識別情報に基づいて自動販売機を稼働させるための制御情報を送信する。即ち、出荷前に予め自動販売機に識別情報を付け、該識別情報の保持されたＩＣカードリーダを取り付けるのでは無く、設置後、設置場所に応じて自動販売機に対して識別情報（識別ＩＤ）を付与する。これにより、サーバ６０で、自動販売機の識別情報（識別ＩＤ）と、通信端末の特定情報（ＩＰアドレス）と、設置場所とを対応付けることが可能となるので、取り付け対象の自動販売機の識別ＩＤの設定されたＩＣカードリーダを自動販売機に搭載することが不要になり、ＩＣカードリーダの取り付けの作業性を改善することができる。
【００１４】
請求項６の自動販売機設定システムでは、既に稼動している自動販売機が移動された際に、ＩＣカード書込装置が、新たな設置場所を含む自動販売機の固有情報の一部をＩＣカードに書き込む。ＩＣカードから自動販売機へ、該ＩＣカードに記憶された自動販売機の固有情報の一部を、ＩＣカードリーダを介して送る。自動販売機からサーバへ、自動販売機側へ送られた固有情報の一部を、通信端末を介して送る。そして、サーバにおいて、送られた自動販売機の固有情報の一部に基づき、当該自動販売機を識別する識別情報中の設置場所を新たな設置場所に修正する。このため、既に稼動している自動販売機の設置場所を移動した際にも、ＩＣカードにより場所変更に対応できるので、設定作業を短縮化できると共に作業ミスを無くすことが可能になる。
【００１５】
請求項７の自動販売機設定システムでは、サーバにおいて、当該自動販売機の設置場所を新たな設置場所に修正した後、制御情報を自動販売機側へ送信する。このため、場所移動に伴い、扱い商品等の変更があり制御情報を自動販売機側へ送信する必要がある場合にも柔軟に対応できる。
【００１６】
請求項８の自動販売機設定システムでは、ＩＣカード書込装置を、自動販売機の管理者毎に有し得る。このため、管理者により、自動販売機の設置場所の変更等に柔軟に対応することができる。
【００１７】
請求項９の自動販売機設定システムでは、ＩＣカードに記憶される情報は暗号化されているため、万一、紛失、盗難にあっても内容が読解できず、セキュリティーが高い。
【発明を実施するための最良の形態】
【００１８】
[第１実施形態]
本発明の実施形態に係る自動販売機設定システムについて図を参照して説明する。
図１は、携帯電話で設定を行う第１実施形態に係る自動販売機設定システムの全体の構成を示す説明図である。
自動販売機１０は、ＩＣカードリーダ４２及び通信端末（モバイル電話）３０を備え、ＩＣカード決済に対応可能に構成されている。該自動販売機１０は、管理情報を保持するデータベース６２を備えるキャッシュレスサーバ６０により管理される。キャッシュレスサーバ６０と自動販売機１０とは、自動販売機１０の通信端末３０とキャッシュレスサーバ６０側の通信端末（図示せず）とにより情報が送受される。キャッシュレスサーバ６０は、自動販売機を管理する管理会社のホストコンピュータであるクライアントマシン５０により管理情報が提供される。また、携帯電話７０の登録アプリケーションにより登録された設置場所情報が、携帯電話に内蔵されたＩＣカード（図示せず）に保持され、該設置場所情報が自動販売機１０にてＩＣカードリーダ４２を介して受信されるよう構成されている。
【００１９】
図２は、図１中の自動販売機の構成を示すブロック図である。
自動販売機１０は、内部にキャッシュレスサーバ６０との通信用の上述した通信端末３０と、自動販売機全体を制御するための自販機制御部２０とを備える。自販機制御部２０は、ＣＰＵ２２、メモリ２４、記憶媒体（記憶手段）２６を内蔵する。ＩＣカードリーダ４２を取り付けるための自販機操作部４０は、自動販売機１０の外部に取り付けられている。
【００２０】
再び、図１を参照して自動販売機設定システムでの自動販売機の設定処理について説明する。先ず、（１）クライアントマシン５０からキャッシュレスサーバ６０に対して、自動販売機の設置場所情報、自動販売機の識別ＩＤ（識別情報）、その他の自動販売機を運用するための固有情報（例えば、特定のＩＣカードでの決済を不能にするネガティブデータ等）を送信する。一方、（２）自動販売機１０を定められた場所に設置した作業者が、携帯電話７０に対して登録アプリケーションを介して自動販売機の設置場所情報を入力する。この設置場所情報は携帯電話７０のＩＣカード（図示せず）に保持され、（３）作業者が自動販売機のＩＣカードリーダ４２に携帯電話を接触させることで、ＩＣカードリーダ４２を介して受信され、自動販売機１０に保持される。そして、（４）自動販売機１０は、通信端末３０を介してキャッシュレスサーバ６０へ設置場所情報及び通信端末３０のＩＰアドレス（通信端末の特定情報）を送信する。（５）キャッシュレスサーバ６０では、設置場所情報から自動販売機に付与すべき自動販売機の識別ＩＤ（識別情報）を特定し、該自動販売機の識別ＩＤ、ネガティブデータ等を自動販売機１０側へ送信する。さらに、ＩＰアドレスの情報をデータベース６２に登録する。（６）自動販売機１０では、キャッシュレスサーバ６０から配信された情報を取り込み、販売可能な状態に初期設定する。
【００２１】
上述した自動販売機の設定処理について、図３〜図７を参照して更に詳細に説明する。
図３は、キャッシュレスサーバ６０のデータベース仕様の説明図である。
図３（Ａ）に示す自販機情報マスタは、クライアントマシン５０からキャッシュレスサーバ６０へ送られる自動販売機の識別ＩＤと設置場所との対応関係を示すものである。該自販機情報マスタは、自動販売機の識別ＩＤと、設置場所Ｎｏ．と、シーケンスＮｏ．と、オペレータＩＤとを含み、自動販売機側から送られるＩＰアドレスは空欄になっている。ここで、シーケンスＮｏ．とは、同じ場所に複数台の自動販売機が配置された場合に、それぞれを特定するためのものである。オペレータＩＤは、図３（Ｂ）に示すオペレータマスタに基づき付与されるものであり、例えば、第１実施形態の自動販売機が清涼飲料販売用である場合、清涼飲料メーカＡ社にオペレータＩＤ：１を、清涼飲料メーカＢ社にオペレータＩＤ：２を、清涼飲料メーカＣ社にオペレータＩＤ：３を付与してある。図３（Ｃ）に示す設置場所マスタは、設置場所Ｎｏ．と、設置場所名称、例えば、○×百貨店１Ｆ、○×百貨店２Ｆ、○×百貨店３Ｆ、△△駅北口と、エリアＮｏ．との対応が示されている。ここで、同一場所（○×百貨店）であっても階が異なれば違う場所として管理される。ここでは示されないが、同一場所の同一階であっても、異なる場所であれば異なる設置場所名称が付与される（例えば、○×百貨店２Ｆ売店、○×百貨店２Ｆ喫煙室）。図３（Ｄ）に示すエリアマスタは、エリアＮｏ．とエリア名称（例えば、○×百貨店、△△駅）との対応を示すものである。
【００２２】
図４は、携帯電話での登録アプリケーションに基づく設置場所の入力方法の説明図であり、図中では、携帯電話７０の表示画面７２を示している。該登録アプリケーションは、クライアントマシン５０又はキャッシュレスサーバ６０側で作成され、携帯電話７０にダウンロードされ起動可能になる。ここでは、○×百貨店２Ｆで自販機Ｎｏ．１（同じ場所に設定される３台の内の１号機）が設定される場合を例示する。先ず、図４（Ａ）で、場所１の設定として、○×百貨店と△△駅との選択が表示画面７２に表示され、作業者は、キー７４（図１参照）を操作し、○×百貨店側を選択する。次に、図４（Ｂ）で、場所２の設定として、１Ｆ喫煙室と２Ｆ売店と３Ｆ事務所前との選択が表示され、作業者は２Ｆを選択する。次に、図４（Ｃ）で、自販機Ｎｏ．として１：一号機、２：二号機、３：三号機が表示され、作業者は１：一号機を選択する。そして、携帯電話７０は、図４（Ｄ）に示す、入力された内容の確認画面を表示し、作業者が内容を確認して[はい]を選択することで、この確認された内容（設置場所情報）を内蔵のＩＣカードに書き込む。そして、携帯電話７０は、図４（Ｅ）に示す自動販売機への設置場所情報の転送を促す表示を行う。この表示により、作業者が自動販売機の操作部４０に携帯電話７０をタッチさせることで、自動販売機１０のＩＣカードリーダ４２は、携帯電話７０のＩＣカードに書き込まれた設置場所情報を読み出す。
【００２３】
引き続き、該携帯電話７０での処理について、当該処理を示す図５のフローチャートを参照して説明する。
携帯電話７０は、登録アプリケーションのダウンロードが指示されたかを判断する（Ｓ１２）。ここで、ダウンロードが指示されると（Ｓ１２：Ｙｅｓ）、クライアントマシン５０又はキャッシュレスサーバ６０を呼び出し、登録アプリケーションのダウンロードを行う（Ｓ１４）。登録アプリケーションのダウンロードが指示されない場合には（Ｓ１２：Ｎｏ）、図４を参照して上述した登録アプリケーションの起動を指示されたかを判断する（Ｓ１６）。登録アプリケーションの起動が指示された場合には（Ｓ１６：Ｙｅｓ）、登録アプリケーションを起動し、設置場所を選択させ、設置場所情報をＩＣカード又はメモリに登録する（Ｓ１８）。登録アプリケーションの起動が指示されない場合には（Ｓ１６：Ｎｏ）、自動販売機のＩＣカードリーダへタッチされたかを判断し（Ｓ２０）、タッチされた場合には（Ｓ２０：Ｙｅｓ）、設置場所情報をＩＣカードリーダ側に転送する（Ｓ２２）。
【００２４】
次に、キャッシュレスサーバ６０での設定処理について、当該処理を示す図６のフローチャートを参照して説明する。
キャッシュレスサーバ６０は、図３を参照して上述した自販機情報が登録されているかを判断する（Ｓ４２）。ここで、自販機情報が登録されていない場合には（Ｓ４２：Ｎｏ）、クライアントマシン５０と通信し、図３を参照して上述したＩＰアドレス以外の自販機情報等を登録する（Ｓ４４）。そして、自動販売機側からＩＰアドレス及び設置場所情報が送信されたかを判断する（Ｓ４６）。ＩＰアドレス及び設置場所情報が送信されると（Ｓ４６：Ｙｅｓ）、受信した設置場所情報を元にどの自動販売機であるかを判断し、自動販売機側に識別ＩＤ、ネガティブデータ等を送信する。また、同一場所に設置される自動販売機に対して登録順序に従いシーケンス番号を付与し、ＩＰアドレスをデータベースに登録する（Ｓ４８）。
【００２５】
引き続き、自動販売機１０での初期設定処理について、当該処理を示す図７のフローチャートを参照して説明する。
先ず、ＩＣカードリーダに設定情報が存在し、ネガティブデータが存在するか判断する（Ｓ６２）。ＩＣカードリーダに設定情報が存在し、ネガティブデータが存在する場合には（Ｓ６２：Ｙｅｓ）、初期設定処理を終了し、自動販売アプリケーションを起動する（Ｓ７４）。設定情報及びネガティブデータが存在しない場合には（Ｓ６２：Ｎｏ）、設定アプリケーションを起動し（Ｓ６３）、ＩＣカードリーダへのタッチが有ったかを判断し（Ｓ６４）、タッチが有った場合には（Ｓ６４：Ｙｅｓ）、ＩＣカードリーダが携帯電話から読み取った設置場所情報を自身の記憶媒体２６に登録する（Ｓ６６）。そして、キャッシュレスサーバ６０に対して自らのＩＰアドレス（通信端末３０のＩＰアドレス）と設置場所情報とを送信する（Ｓ６８）。そして、キャッシュレスサーバ６０から送られた識別ＩＤ及びネガティブデータ等に基づき、初期設定を行う（Ｓ７０）。
【００２６】
引き続き、自動販売機１０でのＩＣカード決済処理について、当該処理を示す図８のフローチャートを参照して説明する。
商品選択に続き、カードタッチが有ると（Ｓ８２：Ｙｅｓ）、ＩＣカードのＩＤとＩＣカードに保持された残高とを取得する（Ｓ８４）。そして、ＩＣカードのＩＤとネガティブデータに含まれるＩＤとを照合し、当該ＩＣカードがネガティブデータに挙げられている場合には（Ｓ８６：ＮＧ）、処理を終了する。ネガティブデータに挙げられていない場合には（Ｓ８６：ＯＫ）、商品購入価格に見合う残高があるかを判断する（Ｓ８８）。残高が不足している場合には（Ｓ８８：ＮＧ）、処理を終了する。残高が有る場合には（Ｓ８８：ＯＫ）、カードの残高を更新する（Ｓ９０）。そして、取引データ（ＩＣカードのＩＤ、残高、購入額、日時、自動販売機の識別ＩＤ）を保持し（Ｓ９２）、商品を提供する（Ｓ９４）。
【００２７】
自動販売機には、キャッシュレスサーバ６０との通信時刻（例えば毎日の１２：００等）が設定されており、設定時刻に成ると自己の識別ＩＤと共に保持した取引データ（ＩＣカードのＩＤ、残高、購入額、日時、自動販売機の識別ＩＤ）、及び、在庫情報をキャッシュレスサーバ６０側へ転送する。この転送に続き、キャッシュレスサーバ６０からネガティブデータ等等の情報が提供される。キャッシュレスサーバ６０側では、各自動販売機から送られた情報からＩＣカード決済を行うと共に、クライアントマシン５０側に識別ＩＤに対応させ各自動販売機の在庫情報を提供する。
【００２８】
第１実施形態の自動販売機設定システムでは、出荷前に予め自動販売機に識別情報を付け、該識別情報の保持されたＩＣカードリーダを取り付けるのでは無く、設置後、設置場所に応じて自動販売機に対して識別ＩＤを付与する。これにより、キャッシュレスサーバ６０で、自動販売機の識別ＩＤと、通信端末のＩＰアドレスと、設置場所とを対応付けることが可能となるので、取り付け対象の自動販売機の識別ＩＤの設定されたＩＣカードリーダを自動販売機に搭載することが不要になり、ＩＣカードリーダの取り付けの作業性を改善することができる。更に、実際の設置場所に応じて自動販売機の識別ＩＤが付与されるので、予定された設置場所と異なる場所に設置された自動販売機に対しても、サーバ側で管理情報が入れ違うことが無くなり、適切に管理することができる。
【００２９】
また、第１実施形態の自動販売機設定システムでは、同一場所に複数の自動販売機が設置される場合に、識別ＩＤと共に、シーケンスＮｏ．を作成する。このため、同一場所に設置された複数の自動販売機を個々に特定することが容易になり、適切に管理することができる。
【００３０】
[第２実施形態]
図９は、ＩＣカードで設定を行う第２実施形態に係る自動販売機設定システムの全体の構成を示す説明図である。
自動販売機１０は、ＩＣカードリーダ４２及び通信端末（モバイル電話）３０を備え、ＩＣカード決済に対応可能に構成されている。該自動販売機１０は、管理情報を保持するデータベース６２を備えるキャッシュレスサーバ６０により管理される。キャッシュレスサーバ６０と自動販売機１０とは、自動販売機１０の通信端末３０とキャッシュレスサーバ６０側の通信端末（図示せず）とにより情報が送受される。キャッシュレスサーバ６０は、自動販売機を管理する管理会社のホストコンピュータであるクライアントマシン５０により管理情報が提供される。また、自動販売機の設置場所、オペレータＩＤ（自動販売機の取り扱い商品の供給元を特定するＩＤ）、自動販売機の取り扱い商品等を含む固有情報がＩＣカード９０に保持され、該固有情報が自動販売機１０にてＩＣカードリーダ４２を介して受信されるよう構成されている。ＩＣカード９０への固有情報の書き込みは、ＩＣカード書込装置８０Ａ、８０Ｂにより行われる。ＩＣカード書込装置８０Ａ、８０Ｂは、第２実施形態では２台例示されているが、３台以上存在し得る。ここでは、自動販売機を管理する管理会社が、クライアントマシン５０と共にＩＣカード書込装置８０Ａを備え、自動販売機の販売メーカー或いは自動販売機にＩＣカードリーダを取り付けるアッセンブリメーカーがＩＣカード書込装置８０Ｂを備える。
【００３１】
図１０は、図９中の自動販売機の構成を示すブロック図である。
自動販売機１０は、内部にキャッシュレスサーバ６０との通信用の上述した通信端末３０と自動販売機全体を制御するための自販機制御部２０とを備える。自販機制御部２０は、ＣＰＵ２２、メモリ２４、記憶媒体（記憶手段）２６、アプリケーションの切替を行う設定ボタン２８を内蔵する。ＩＣカードリーダ４２を取り付けるための自販機操作部４０は、自動販売機１０の外部に取り付けられている。
【００３２】
再び、図９を参照して自動販売機設定システムでの自動販売機の設定処理について説明する。事前にクライアントマシン５０からキャッシュレスサーバ６０に対して、自動販売機の設置場所情報、自動販売機の識別ＩＤ（識別情報）、その他の自動販売機を運用するための固有情報（例えば、特定のＩＣカードでの決済を不能にするネガティブデータ等）を送信する。同様に、クライアントマシン５０から、ＩＣカード書込装置８０Ａに対して、自動販売機の設置場所情報、自販機の取り扱い商品等の情報からなる固有情報を送信する。ここでは、クライアントマシン５０から固有情報が送信される例を挙げるが、ＩＣカード書込装置８０Ａ、８０Ｂはコンピュータからなり、例えば、自動販売機へのＩＣカードリーダのアッセンブリを行う者が手動で、自動販売機の管理会社からの指示に応じて該ＩＣカード書込装置８０Ｂへ入力することも可能である。更に、第２実施形態では、初期設定が済んで既に稼働中の自動販売機が移動された際に、ＩＣカード書込装置８０Ａ、８０ＢによりＩＣカード９０へ移動場所の情報のみを書き込むことができる。このＩＣカード９０により、移動された自動販売機に対して、当該自動販売機に保持されている設置場所の情報を修正することもできる。
【００３３】
先ず、（１）ＩＣカード書込装置８０Ａ、８０ＢによりＩＣカード９０へ固有情報を書き込む。（２）自動販売機１０を定められた場所に設置した作業者が、ＩＣカードリーダ４２にＩＣカード９０を接触させることで、（３）ＩＣカード９０からの固有情報がＩＣカードリーダ４２を介して受信され、自動販売機１０に保持される。そして、（４）自動販売機１０は、通信端末３０を介してキャッシュレスサーバ６０へ固有情報及び通信端末３０のＩＰアドレス（通信端末の特定情報）を送信する。（５）キャッシュレスサーバ６０では、設置場所情報から自動販売機に付与すべき自動販売機の識別ＩＤ（識別情報）を特定し、固有情報をデータベース６２に登録する。（６）キャッシュレスサーバ６０は、該自動販売機の識別ＩＤ、ネガティブデータ等を自動販売機１０側へ送信する。（７）自動販売機１０では、キャッシュレスサーバ６０から配信された情報を取り込み、販売可能な状態に初期設定する。
【００３４】
上述した自動販売機の設定処理について、図１１〜図１４を参照して更に詳細に説明する。
図１１は、キャッシュレスサーバ６０のデータベース仕様の説明図である。
図１１（Ａ）に示す自販機情報マスタは、クライアントマシン５０からキャッシュレスサーバ６０へ送られる自動販売機の識別ＩＤと設置場所との対応関係を示すものである。該自販機情報マスタは、自動販売機の識別ＩＤと、設置場所Ｎｏ．と、シーケンスＮｏ．と、オペレータＩＤとを含み、自動販売機側から送られるＩＰアドレスは空欄になっている。ここで、シーケンスＮｏ．とは、同じ場所に複数台の自動販売機が配置される場合に、それぞれを特定するためのものである。オペレータＩＤは、図１１（Ｂ）に示すオペレータマスタに基づき付与されるものであり、例えば、第２実施形態の自動販売機が清涼飲料販売用である場合、清涼飲料メーカＡ社にオペレータＩＤ：１を、清涼飲料メーカＢ社にオペレータＩＤ：２を、清涼飲料メーカＣ社にオペレータＩＤ：３を付与してある。図１１（Ｃ）に示す設置場所マスタは、設置場所Ｎｏ．と、設置場所名称、例えば、○×百貨店１Ｆ、○×百貨店２Ｆ、○×百貨店３Ｆ、△△駅北口と、エリアＮｏ．との対応が示されている。ここで、同一場所（○×百貨店）であっても階が異なれば違う場所として管理される。図１１（Ｄ）に示すエリアマスタは、エリアＮｏ．とエリア名称（例えば、○×百貨店、△△駅）との対応を示すものである。
【００３５】
引き続き、ＩＣカード書込装置８０Ａでの処理について、当該処理を示す図１２のフローチャートを参照して説明する。
先ず、ＩＣカードに書き込む固有情報（自動販売機の設置場所、オペレータＩＤ（自動販売機の取り扱い商品の供給元を特定するＩＤ）、自動販売機の取り扱い商品情報）が取得できているかを判断し（Ｓ１１２）、取得できていない場合（Ｓ１１２：Ｎｏ）、クライアントマシン５０から固有情報を取得する（Ｓ１１４）。そして、ＩＣカードの固有情報の書き込みが指示されると（Ｓ１１６：Ｙｅｓ）、ＩＣカード９０へ固有情報を書き込む（Ｓ１１８）。他方、ＩＣカードへの自動販売機の設置場所の変更の書き込みが指示されると（Ｓ１１７：Ｙｅｓ）、ＩＣカードへ変更先の設置場所の情報、及び、誤入力を防ぐために自動販売機のオペレータＩＤを書き込む（Ｓ１１９）。
【００３６】
次に、キャッシュレスサーバ６０での設定処理について、当該処理を示す図１３のフローチャートを参照して説明する。
キャッシュレスサーバ６０は、図１１を参照して上述した自販機情報が登録されているかを判断する（Ｓ１４２）。ここで、自販機情報が登録されていない場合には（Ｓ１４２：Ｎｏ）、クライアントマシン５０と通信し、図１１を参照して上述したＩＰアドレス以外の自販機情報等を登録する（Ｓ１４４）。そして、自動販売機側からＩＰアドレス及び設置場所情報が送信されたかを判断する（Ｓ１４６）。ＩＰアドレス及び設置場所情報が送信されると（Ｓ１４６：Ｙｅｓ）、受信した設置場所情報を元にどの自動販売機であるかを判断し、自動販売機側に識別ＩＤ、ネガティブデータ等を送信する。また、同一場所に設置される自動販売機に対して登録順序に従いシーケンス番号を付与し、ＩＰアドレスをデータベースに登録する（Ｓ１４８）。一方、移設された自動販売機側から新たな設置場所情報が送信された場合（Ｓ１４７：Ｙｅｓ）、送信された新たな設置場所情報にデータベースの情報を修正する（Ｓ１４９）。そして、自動販売機側へ送る制御情報があるか否かを判断し（Ｓ１５１）、単なる場所移動のみで制御情報を送る必要が無い場合（Ｓ１５１：Ｎｏ）、処理を終了する。他方、場所移動に伴い、扱い商品等の変更があり制御情報を自動販売機側へ送信する必要がある場合には（Ｓ１５１：Ｙｅｓ）、制御情報を送信する（Ｓ１５３）。
【００３７】
引き続き、自動販売機１０での初期設定処理について、当該処理を示す図１４のフローチャートを参照して説明する。
先ず、ＩＣカードリーダに設定情報が存在し、ネガティブデータが存在するか判断する（Ｓ１６２）。ＩＣカードリーダに設定情報が存在し、ネガティブデータが存在する場合には（Ｓ１６２：Ｙｅｓ）、アプリケーションの切り換えを行う設定ボタン２８（図１０参照）が押されているか判断する（Ｓ１７２）。ここで、設定ボタンが押されていない場合には（Ｓ１７２：Ｎｏ）、自動販売アプリケーションを起動する（Ｓ１７４）。設定情報及びネガティブデータが存在しない場合には（Ｓ１６２：Ｎｏ）、設定アプリケーションを起動し（Ｓ１６３）、ＩＣカードリーダへのＩＣカードのタッチが有ったかを判断する（Ｓ１６４）。ＩＣカードのタッチが有った場合には（Ｓ１６４：Ｙｅｓ）、自動販売機で扱う商品の供給メーカとＩＣカードで設定する供給メーカとの対応が取れているか図１１（Ｂ）を参照して上述したオペレータＩＤに基づき判断する（Ｓ１７６）。適正で無い場合には（Ｓ１７６：Ｎｏ）、自動販売機の表示装置（図示せず）で不一致を警告し（Ｓ１７８）、Ｓ１６２に戻る。自動販売機とＩＣカードとが対応している場合には（Ｓ１７６：Ｙｅｓ）、自動販売機の設置場所移動の登録かを判断する（Ｓ１６５）。設定場所移動では無い場合には（Ｓ１６５：Ｎｏ）、ＩＣカードリーダがＩＣカードから読み取った設置場所情報を含む固有情報を自身の記憶媒体２６に登録する（Ｓ１６６）。そして、キャッシュレスサーバ６０に対して自らのＩＰアドレス（通信端末３０のＩＰアドレス）と設置場所情報とを送信する（Ｓ１６８）。キャッシュレスサーバ６０から送られた識別ＩＤ及びネガティブデータ等に基づき、初期設定を行う（Ｓ１７０）。最後に、自動販売アプリケーションを起動する（Ｓ１７４）。
【００３８】
引き続き、初期化が済んで既に稼働中の自動販売機が移動された場合の設置場所の修正処理について説明する。なお、上述したように、設置場所の修正の場合には、ＩＣカード書込装置８０Ａにより、新たな設置場所の情報及びオペレータＩＤのみがＩＣカード９０へ書き込まれている。ここでは、自動販売機が図１１（Ｃ）に示す○×百貨店１Ｆから２Ｆへ移動された場合を例示する。
【００３９】
先ず、Ｓ１６２での設定情報及びネガティブデータが存在するか判断が、既に初期化済みであるため（Ｓ１６２：Ｙｅｓ）、アプリケーションの切り換えを行う設定ボタン２８（図１０参照）が押されているか判断する（Ｓ１７２）。ここで、作業が自動販売機の電源をオンさせると同時に設定ボタンを押すことにより（Ｓ１７２：Ｙｅｓ）、自動販売機は、設定アプリケーションを起動する（Ｓ１６３）。そして、ＩＣカードのタッチが有った場合には（Ｓ１６４：Ｙｅｓ）、オペレータＩＤに基づく自動販売機とＩＣカードとの対応が取れているかの判断を経て（Ｓ１７６）、自動販売機の設置場所移動の登録かを判断する（Ｓ１６５）。設定場所移動の場合には（Ｓ１６５：Ｙｅｓ）、ＩＣカードリーダがＩＣカードから読み取った設置場所情報（ここでは、○×百貨店１Ｆ：Ａ００２）を自身の記憶媒体２６に登録する（Ｓ１８６）。そして、キャッシュレスサーバ６０に対して設置場所情報（○×百貨店１Ｆ：Ａ００２）を送信する（Ｓ１８８）。これに対応し、キャッシュレスサーバ６０のデータベース上の情報が修正される（図１３：Ｓ１４９）。その後、キャッシュレスサーバ６０側から制御情報が送信されたかを判断し、図１３のＳ１５３により制御情報が送信された場合には（Ｓ１９０：Ｙｅｓ）、制御情報を受信し、制御情報に基づき設定を変更する（Ｓ１９２）。
【００４０】
自動販売機１０でのＩＣカード決済処理については、図８を参照して上述した第１実施形態と同様であるため、説明を省略する。
【００４１】
第２実施形態の自動販売機設定システムでは、出荷前に予め自動販売機に識別情報を付け、該識別情報の保持されたＩＣカードリーダを取り付けるのでは無く、設置後、設置場所に応じて自動販売機に対して識別ＩＤを付与する。これにより、キャッシュレスサーバ６０で、自動販売機の識別ＩＤと、通信端末のＩＰアドレスと、設置場所とを対応付けることが可能となるので、取り付け対象の自動販売機の識別ＩＤの設定されたＩＣカードリーダを自動販売機に搭載することが不要になり、ＩＣカードリーダの取り付けの作業性を改善することができる。
【００４２】
更に、第２実施形態の自動販売機設定システムでは、既に稼動している自動販売機１０が移動された際に、ＩＣカード書込装置８０が、新たな設置場所を含む自動販売機の固有情報の一部をＩＣカード９０に書き込む。ＩＣカード９０から自動販売機へ、該ＩＣカードに記憶された自動販売機の固有情報の一部を、ＩＣカードリーダ４２を介して送る。自動販売機からキャシュレスサーバ６０へ、自動販売機側へ送られた固有情報の一部を、通信端末３０を介して送る。そして、キャシュレスサーバ６０において、送られた自動販売機の固有情報の一部に基づき、当該自動販売機を識別する識別情報中の設置場所を新たな設置場所に修正する。このため、既に稼動している自動販売機の設置場所を移動した際にも、ＩＣカードにより場所変更に対応できるので、設定作業を短縮化できると共に作業ミスを無くすことが可能になる。
【００４３】
第２実施形態の自動販売機設定システムでは、サーバにおいて、当該自動販売機の設置場所を新たな設置場所に修正した後、必要に応じて、制御情報を自動販売機側へ送信する。このため、場所移動に伴い、扱い商品等の変更があり制御情報を自動販売機側へ送信する必要がある場合にも柔軟に対応できる。
【００４４】
第２実施形態の自動販売機設定システムでは、ＩＣカード書込装置を、自動販売機の管理者毎、或いは、自動販売機の管理者と共に自動販売機の製造メーカーがそれぞれ所有有し得る。このため、管理者により、自動販売機の設置場所の変更等に柔軟に対応することができる。
【００４５】
なお、第２実施形態の自動販売機設定システムおいて、ＩＣカード９０に記憶される情報は暗号化されている。このため、万一、紛失、盗難にあっても内容が読解できず、セキュリティーが高い。
【００４６】
[第２実施形態の改変例]
図１５は、ＩＣカードで設定を行う第２実施形態の改変例に係る自動販売機設定システムの全体の構成を示す説明図である。
自動販売機１０は、ＩＣカードリーダ４２及び通信端末（図示せず）を備え、ＩＣカード決済に対応可能に構成されている。該自動販売機１０は、管理情報を保持するキャッシュレスサーバ（図示せず）により管理される。自動販売機の設置場所、オペレータＩＤ（自動販売機の取り扱い商品の供給元を特定するＩＤ）、自動販売機の取り扱い商品等を含む固有情報がＩＣカード９０に保持され、該固有情報が自動販売機１０にてＩＣカードリーダ４２を介して受信されるよう構成されている。ＩＣカード９０への固有情報の書き込みは、ＩＣカード書込装置８０により行われる。
【００４７】
第２実施形態の改変例に係る自動販売機設定システムでの自動販売機の設定処理について説明する。
先ず、（１）ＩＣカード書込装置８０によりＩＣカード９０へ固有情報を書き込む。（２）自動販売機１０を定められた場所に設置した作業者が、ＩＣカードリーダ４２にＩＣカード９０を接触させることで、（３）ＩＣカード９０からの固有情報がＩＣカードリーダ４２を介して受信され、販売可能な状態に初期設定する。
【００４８】
図１６は、第２実施形態の改変例に係るキャッシュレスサーバのデータベース仕様の説明図である。
図１６に示す自販機情報マスタは、自動販売機の識別ＩＤと設置場所との対応関係を示すものである。該自販機情報マスタは、自動販売機の識別ＩＤと、設置場所Ｎｏ．と、自動販売機のＩＰアドレス、シーケンスＮｏ．と、オペレータＩＤとをが全て事前に登録されている。このため、自動販売機側は、キャシュレスサーバに保持されている必要情報を全てＩＣカードから得ることができるので、キャッシュレスサーバとの通信して情報を取得することなく初期設定を行うことが可能となる。
【００４９】
引き続き、第２実施形態の改変例に係る自動販売機１０での初期設定処理について、当該処理を示す図１７のフローチャートを参照して説明する。
先ず、ＩＣカードリーダに設定情報が存在し、ネガティブデータが存在するか判断する（Ｓ１６２）。設定情報及びネガティブデータが存在しない場合には（Ｓ１６２：Ｎｏ）、設定アプリケーションを起動し（Ｓ１６３）、ＩＣカードリーダへのＩＣカードのタッチが有ったかを判断する（Ｓ１６４）。ＩＣカードのタッチが有った場合には（Ｓ１６４：Ｙｅｓ）、ＩＣカードリーダがＩＣカードから読み取った設置場所情報を含む固有情報を自身の記憶媒体に登録する（Ｓ１６６）。そして、自動販売アプリケーションを起動する（Ｓ１７４）。
【産業上の利用可能性】
【００５０】
上述した第１実施形態では、携帯電話のＩＣカードに設置場所情報を保持させたが、携帯電話のメモリに設置場所情報を保持し、通信回線を介して設置場所情報を自動販売機側に転送することも可能である。
【図面の簡単な説明】
【００５１】
【図１】本発明の第１実施形態に係る自動販売機設定システムの全体の構成を示す説明図である。
【図２】第１実施形態の自動販売機の構成を示すブロック図である。
【図３】第１実施形態のキャッシュレスサーバのデータベース仕様の説明図である。
【図４】第１実施形態の携帯電話での登録アプリケーションに基づく設置場所の入力方法の説明図である。
【図５】第１実施形態の携帯電話での処理を示すフローチャートである。
【図６】第１実施形態のキャッシュレスサーバでの処理を示すフローチャートである。
【図７】第１実施形態の自動販売機での初期設定処理を示すフローチャートである。
【図８】第１実施形態の自動販売機でのＩＣカード決済処理を示すフローチャートである。
【図９】本発明の第２実施形態に係る自動販売機設定システムの全体の構成を示す説明図である。
【図１０】第２実施形態の自動販売機の構成を示すブロック図である。
【図１１】第２実施形態のキャッシュレスサーバのデータベース仕様の説明図である。
【図１２】第２実施形態のＩＣカード書込装置での処理を示すフローチャートである。
【図１３】第２実施形態のキャッシュレスサーバでの処理を示すフローチャートである。
【図１４】第２実施形態の自動販売機での初期設定処理を示すフローチャートである。
【図１５】本発明の第２実施形態の改変例に係る自動販売機設定システムの全体の構成を示す説明図である。
【図１６】第２実施形態の改変例に係るキャッシュレスサーバのデータベース仕様の説明図である。
【図１７】第２実施形態の改変例に係る自動販売機での初期設定処理を示すフローチャートである。
【符号の説明】
【００５２】
１０  自動販売機
２０  自販機制御部
２６  記憶媒体（記憶手段）
３０  通信端末
４０  自販機操作部
４２  ＩＣカードリーダ
５０  クライアントマシン
６０  キャッシュレスサーバ
７０  携帯電話
８０、８０Ａ、８０Ｂ  ＩＣカード書込装置
９０  ＩＣカード
【図１】
2010009565.tif 000003
【図２】
2010009565.tif 000004
【図３】
2010009565.tif 000005
【図４】
2010009565.tif 000006
【図５】
2010009565.tif 000007
【図６】
2010009565.tif 000008
【図７】
2010009565.tif 000009
【図８】
2010009565.tif 000010
【図９】
2010009565.tif 000011
【図１０】
2010009565.tif 000012
【図１１】
2010009565.tif 000013
【図１２】
2010009565.tif 000014
【図１３】
2010009565.tif 000015
【図１４】
2010009565.tif 000016
【図１５】
2010009565.tif 000017
【図１６】
2010009565.tif 000018
【図１７】
2010009565.tif 000019